(57)【特許請求の範囲】
【請求項１】
外部筐体と、外部筐体内の下部に設けられた制御回路基板（１）と、外部筐体の一側面に設けられた入力・表示装置（２）と、外部筐体の表面の上部に設けられた輸液瓶（３）支持ホルダーと、を備えたインテリジェント輸液ポンプであって、
前記外部筐体の裏面には、内部に向かう気体吐出口が電機ガスポンプユニット（５）のガスポンプ吸気口に連通されるとともに、吸気口が外部に向かう空気清浄機（４）が設けられ、
電機ガスポンプユニット（５）のガスポンプ気体吐出口は、空気逆止め弁（７）付きの送気チューブを介して前記外部筐体の表面に設けられた密封継手（８）に接続され、
空気逆止め弁（７）と筐体の密封継手（８）との間の送気チューブに圧力センサー（６）が連通され、
前記外部筐体の内部には、更に輸液の流量制御機構（９）及び電源装置が設けられ、
外部筐体の表面の前記支持ホルダーの下部に赤外線検出ヘッド（１０）が設けられ、
前記制御回路基板（１）は、前記入力・表示装置（２）、電機ガスポンプユニット（５）、圧力センサー（６）、流量制御機構（９）、赤外線検出ヘッド（１０）及び電源装置に電気的に接続され、
前記外部筐体の一側面には、輸液チューブが折り曲げられて液流が遮断するのを防ぐための折り曲げ防止ガイド柱及び折り曲げ防止ガイド溝が設けられ、
前記輸液チューブは、前記折り曲げ防止ガイド柱を一周して、前記折り曲げ防止ガイド溝に係止される、
ことを特徴とするインテリジェント輸液ポンプ。
【請求項２】
前記外部筐体の表面上部の輸液瓶（３）支持ホルダーの裏面側の筐体は透明窓（１２）であり、
外部筐体内には前記制御回路基板（１）に電気的に接続された走査器（１１）が設けられ、
前記走査器の走査ヘッドは前記支持ホルダー上にある筐体の透明窓（１２）に合わされている、
ことを特徴とする請求項１に記載のインテリジェント輸液ポンプ。
【請求項３】
前記空気清浄機（４）は、
防護フードと、防護フード内にこの順番で取り付けられた繊維ろ過層、顆粒吸着層及び高効率ろ過層と、を含む空気浄化システムと、
前記防護フードに接続された紫外線殺菌室と、紫外線殺菌室内に取り付けられた紫外光源と、継ぎ口を介して又は直接的に前記電機ガスポンプユニット（５）のガスポンプ吸気口の送気チューブに接続されたテーパー状の紫外集光フードと、を含む紫外殺菌システムと、を備える、
ことを特徴とする請求項１に記載のインテリジェント輸液ポンプ。
【請求項４】
前記流量制御機構（９）は、
前記制御回路基板（１）に電気的に接続されたマイクロ電機（９１）と、
マイクロ電機に接続された往復移動機構（９２）及びリミットスイッチ（９４）と、
往復移動機構（９２）の移動方向の前方に設けられたバッフル板（９３）と、を備える、
ことを特徴とする請求項１に記載のインテリジェント輸液ポンプ。
【請求項５】
前記外部筐体の一側面には、前記制御回路基板（１）に電気的に接続されたラウドスピーカー（１３）が設けられる、
ことを特徴とする請求項１に記載のインテリジェント輸液ポンプ。
【請求項６】
前記電源装置は、充電電池（２７）である、
ことを特徴とする請求項１に記載のインテリジェント輸液ポンプ。
【請求項７】
前記外部筐体の上部に回転ハンドル（１４）が設けられ、前記表示装置（２）に対向する一側面の外部筐体に引っ掛かり穴（１５）が設けられる
ことを特徴とする請求項１に記載のインテリジェント輸液ポンプ。
【請求項８】
前記外部筐体の裏面に操作パネルと内蔵式の掴みハンドル（１６）とが設けられる
ことを特徴とする請求項１に記載のインテリジェント輸液ポンプ。
【請求項９】
前記赤外線検出ヘッド（１０）は、輸液観察瓶（２２）のブランケットと一体に設けられる、
ことを特徴とする請求項１に記載のインテリジェント輸液ポンプ。
【請求項１０】
前記密封継手（８）内には、更に紫外線ダイオードが設けられる、
ことを特徴とする請求項１に記載のインテリジェント輸液ポンプ。
【発明の詳細な説明】
【技術分野】
【０００１】
本発明は、医療用の輸液設備に関し、特に病院において病気の患者に定速で薬液を静脈注射する際に、正確且つ連続的に注射できる輸液装置に関する。
【背景技術】
【０００２】
医者が病気の患者を輸液方式で治療する場合が多い。既存の輸液ポンプとしては、外国の前世紀の技術製品が用いられており、基本的にそのまま取り入れて模造したものであって、独創性は皆無である。その設備は主にシングルチップマイクロコンピュータ制御部、パネルボタン部、液晶ディスプレイスクリーン表示部及び蠕動式の押付部に分けられる。その動力部は蠕動式の押付部であって、即ち機械的な蠕動方式で連続的に輸液チューブを押し付けて薬液を送り出すようになっている。しかしながら、輸液チューブに高価なＰＶＣ専用チューブを用いることが必須であり、用いなければ使用できない。一般の使い捨て輸液チューブは連続して押し付けられた後に変形や破裂が発生しやすく、輸液精度に影響が及ぼされるので、輸液作業に対して危険性を孕んでいる。なお、この設備は操作時の流れがややこしく複雑であり、自在に移動できず、使用時の利便性が十分でない。
【発明の概要】
【発明が解決しようとする課題】
【０００３】
便利、安全、高効率、高品質であって、安価な医療用の輸液設備をどのように設計するかは、解決が強く望まれている技術的課題である。
【課題を解決するための手段】
【０００４】
本発明は、上記の技術的課題を解決するために、便利、安全、高効率、高品質であって、安価な医療用のインテリジェント輸液ポンプを提案する。
【０００５】
本発明の提案するインテリジェント輸液ポンプは、外部筐体と、外部筐体内の下部に設けられた制御回路基板と、外部筐体の一側面に設けられた入力・表示装置と、外部筐体の表面の上部に設けられた輸液瓶支持ホルダーとを備える。前記外部筐体の裏面には、内部に向かう気体吐出口が電機ガスポンプユニットのガスポンプ吸気口に連通されるとともに、吸気口が外部に向かう空気清浄機が設けられ、電機ガスポンプユニットのガスポンプ気体吐出口は、空気逆止め弁付きの送気チューブを介して前記外部筐体の表面に設けられた密封継手に接続され、空気逆止め弁と筐体の密封継手との間の送気チューブに圧力センサーが連通され、前記外部筐体の内部には、更に輸液の流量制御機構及び電源装置が設けられ、外部筐体の表面の前記支持ホルダーの下部に赤外線検出ヘッドが設けられ、前記制御回路基板は前記入力・表示装置、電機ガスポンプユニット、圧力センサー、流量制御機構、赤外線検出ヘッド及び電源装置に電気的に接続される。
【０００６】
好ましくは、前記外部筐体の表面上部の輸液瓶支持ホルダーの裏面側の筐体は透明窓であり、外部筐体内には前記制御回路基板に電気的に接続された走査器が設けられ、該走査器の走査ヘッドは、前記支持ホルダー上にある筐体の透明窓に合わされている。
【０００７】
好ましくは、前記空気清浄機は、防護フードと、防護フード内にこの順番に取り付けられた繊維ろ過層、顆粒吸着層及び高効率ろ過層と、を含む空気浄化システムと、前記防護フードに接続された紫外線殺菌室と、紫外線殺菌室内に取り付けられた紫外光源と、継ぎ口を介して又は直接的に前記電機ガスポンプユニットのガスポンプ吸気口の送気チューブに接続されたテーパー状の紫外集光フードと、を含む紫外殺菌システムと、を備える。
【０００８】
好ましくは、前記流量制御機構は、前記制御回路基板に電気的に接続されたマイクロ電機と、マイクロ電機に接続された往復移動機構及びリミットスイッチと、往復移動機構の移動方向の前方に設けられたバッフル板と、を備える。
【０００９】
好ましくは、前記外部筐体の一側面には、前記制御回路基板に電気的に接続されたラウドスピーカーが設けられている。前記の電源装置は充電電池である。
【００１０】
好ましくは、前記外部筐体の上部に回転ハンドルが設けられ、前記ディスプレイスクリーンに対向する外部筐体の一側面に引っ掛かり穴が設けられる。前記外部筐体の裏面に操作パネル及び内蔵式の掴みハンドル（１６）が設けられる。
【００１１】
好ましくは、前記赤外線検出ヘッドは、輸液観察瓶のブランケットと一体に設けられる。前記密封継手内には、更に紫外線ダイオードが設けられる。
【発明の効果】
【００１２】
本発明は、ガスポンプによって輸液瓶内を加圧することで、輸液瓶の高さが下げられるときに失う重力圧力差を補うようになっており、この圧力差はシングルチップマイクロコンピュータによって精確に計算され、且つ圧力変化に応じて自動調節可能であり、輸液過程が安定でスムーズになる。ガスポンプで圧力を供給するためによく用いられる機械的蠕動によって輸液チューブを押し付ける方式を取り止めたので、一般の輸液チューブを用いれば要求を満たすことができ、使用コストが低下し、安全性能が向上した。なお、本発明では、ガスポンプ吸気口に空気浄化装置が接続され、ガスポンプが大気中の空気を吸い込む時、該空気浄化装置によって空気中の有害な細菌及び他の粉塵煙灰に対して滅菌消毒及びろ過を行うことができるので、輸液瓶内には清潔な気体が入り、薬液を汚染して患者の安全に危害を及ぼすことはない。空気浄化装置の輸液ないし医療分野に適用することによって、空気汚染による危害を徹底的に排除し防止する。入力・表示装置による輸液中の関連する情報の他に、設けられたラウドスピーカーによって音声情報を放送することもでき、医療スタッフ、患者又は患者家族がタイムリーに処理することに多大な便宜が図られた。本発明は卓上型の設計であり、自在に設置できたり移動中に輸液したりでき、使用に便利、安全、かつ安価であり、広範な医療スタッフと患者に好まれている。
【図面の簡単な説明】
【００１３】
【図１】本発明に係る実施例の分解図である。
【図２】本発明に係る実施例の前側の立体投影図である。
【図３】図２から光ろ過マスクを取り外した場合の前側の立体投影図である。
【図４】図２の裏側の立体投影図である。
【図５】本発明の作動原理の模式図である。
【図６】本発明の輸液の流量制御機構の模式図である。
【発明を実施するための形態】
【００１４】
図１〜３は本発明に係る実施例の基本的構造を示しており、前記のインテリジェント輸液ポンプは、左側筐体２０、右側筐体５０、表面筐体６０及び裏側筐体３０から構成された外部筐体と、外部筐体の表面の上部に設けられ輸液瓶支持ホルダー３を保持するように構成される左右支持筐体４０から構成され、裏面の筐体には、透明窓１２と、左側外部筐体２０に設けられた入力・表示装置２と、左側外部筐体に設けられたラウドスピーカー１３と、右側外部筐体５０に設けられた引っ掛かり穴１５と、外部筐体の上部にヒンジで連結された回転可能なハンドル１４と、が備えられる。外部筐体の表面にある前記支持ホルダーの下部には、輸液観察瓶２２のブランケットと一体に設けられた赤外線検出ヘッド１０が設けられる。赤外線検出ヘッド１０のブランケットに近い外部筐体の一側面には更に、輸液チューブ２１を固定する折り曲げ防止ガイド溝２５及び折り曲げ防止ガイド柱１８が設けられる。外部筐体の表面には外部光源からの紫外線をろ過して除去できる紫外線光ろ過マスク１７がヒンジで連結され、該光ろ過マスクを開けると、輸液瓶３を取り付けた状態で輸液チューブを固定したり、輸液瓶を交換したりできる。該光ろ過マスクを閉めると輸液を開始できる。外部筐体の裏面には、内部に向かう気体吐出口が電機ガスポンプユニット５のガスポンプ吸気口に連通されるとともに、吸気口が外部に向かう空気清浄機４が設けられ、図５に示すように、電機ガスポンプユニット５のガスポンプの気体吐出口に空気逆止め弁７が連通され、空気逆止め弁７と外部筐体表面に設けられる密封継手８と接続された送気チューブ２３に更に気圧（圧力）センサー６が連通される。該密封継手８内には、更に紫外線ダイオード（図示せず）が設けられる。外部筐体内には、支持ホルダー上にある裏面筐体の透明窓１２に走査ヘッドが合わせられて、走査器１１が設けられる。外部筐体の内部の下方には、制御回路基板１、輸液流量制御機構９及び電源装置が更に設けられ、本実施例においては、電源装置として充電電池２７が用いられる。制御回路基板１には、入力・表示装置２、気圧センサー６、ラウドスピーカー１３、電機ガスポンプユニット５、流量制御機構９、赤外線検出ヘッド１０、走査器１１及び電源装置に電気的に接続され、設定に従って各部材又は素子の動作を合わせて制御できるシングルチップマイクロコンピュータを用いてよい。空気清浄機４は、空気浄化システム及び紫外殺菌システムから構成される（図示せず）。空気浄化システムは、防護フードと、防護フード内にこの順番に取り付けられた繊維ろ過層、顆粒吸着層及び高効率ろ過層と、を含んでもよく、紫外殺菌システムは、防護フードに接続された紫外線殺菌室と、紫外線殺菌室内に取り付けられた紫外光源と、継ぎ口を介して又は直接的に電機ガスポンプユニット５のガスポンプ吸気口の送気チューブ２３に接続されたテーパー状の紫外集光フードと、を含んでもよい。図５、図６に示すように、流量制御機構９は、前記制御回路基板１に電気的に接続されたマイクロ電機９１と、マイクロ電機に接続された往復移動機構９２及びリミットスイッチ９４と、往復移動機構９２の移動方向の前方に設けられたバッフル板９３と、を備え、往復移動機構９２とバッフル板９３の間に、輸液チューブ２４が設けられる。図４に示すように、裏側筐体３０には、更に内蔵式の掴みハンドル１６及び操作パネル１９が設けられる。必要に応じて、操作パネルに、電源投入ボタン、ラウドスピーカーミュートボタン、バーコード変換スイッチ、情報問合ボタン、消毒スイッチ、電源コンセント及び信号サーチボタン等の部品を設けてよい。入力・表示装置２は、様々なタッチ機能ボタンを表示でき、例えば、運転に関しては、各設定完了後、現在の設定を実行でき、一時停止に関しては、押されると輸液を停止でき、ロックに関しては、各設定を安全に保護する。更に輸液滴下速度（滴/分間）のような設定項目を表示でき、「＋−」ボタンは滴下速度の増加又は減少を選択するためのものであり、「定量」は、５０ミリリットル、１００ミリリットル、１５０ミリリットル、２００ミリリットルといった４種類の特定の輸液量の輸液を選択するための特定の選択ボタンであり、「電源」に関しては、装置起動後、電量の情報が表示されこの時電源指示灯が点灯する。輸液過程では運転灯が点滅しており、「オフ」に関しては、３-５秒間押されると、流量制御機構が作動してオフにする。必要に応じてシングルチップマイクロコンピュータ１によってディスプレイスクリーンの表示項目を調整できる。
【００１５】
図３、図５に示すように、本発明において以下のように作動させ、電源を入れ、使い捨て輸液チューブが挿入接続された輸液瓶３を転倒させて輸液瓶支持ホルダーに置いたときに、輸液チューブが折り曲げられて液流を遮断したり移動時に輸液瓶３が脱落したりすることを回避するために、輸液チューブ２１が折り曲げ防止ガイド柱１８を一周して折り曲げ防止ガイド溝２５に係止されるようにする。輸液観察瓶２２を赤外線検出ヘッド１０付きのブランケットに係止させ、輸液観察瓶２２の出液口の別の輸液チューブ２４を流量制御機構９のバッフル板９３と往復移動機構９２との間に係止させる（図６参照）。更に輸液瓶３に接続された送気チューブ２６の継手を密封継手８に接続する。その後液晶ディスプレイスクリーン２によって、滴下速度、定量等のパラメーターを設定する（設定しなければデフォルト設定が実行され、即ち滴下速度３０滴/分間、定量制御なしになる）。「運転」ボタンを押して電機ガスポンプユニット５を起動して輸液チューブ全体に対して空気を完全に排気し、「一時停止」ボタンを押して空気の排気を中止すると、注射液を注射するために人体血管を穿刺する等の動作が実行可能になり、「運転」ボタンを再び押すと輸液が開始する。電機ガスポンプユニット５が作動すると、空気清浄機４によって空気が吸い込まれ、ろ過、滅菌を経た空気は送気チューブ２３によってガスポンプに送入され、ガスポンプによって加圧された後更に別の送気チューブ２３によって密封継手８に導入されるとともに送気チューブ２６によって圧力気体が輸液瓶３に送入される。密封継手８を流れた圧縮気体は密封継手の内部に設けられた紫外線ダイオードから発する紫外線によって再び滅菌されることができ、空気の清潔さが確保される。圧縮気体の作用のもとで、輸液瓶中の薬液は輸液チューブ２１を介して輸液観察瓶２２に入り、更に輸液チューブ２４を通過して患者に注射される。赤外線検出ヘッド１０は、輸液観察瓶２２内の液滴を検出し、検出された信号をシングルチップマイクロコンピュータ１に送信し、シングルチップマイクロコンピュータは検出信号に基づいて処理する。即ち、往復移動機構９２を駆動させてバッフル板９３との間の輸液チューブ２４を押し付けたり緩めたりするように流量制御機構９のマイクロ電機９１に指令を与える。流量制御機構９に固定されたリミットスイッチ９４は、往復移動機構９２の移動距離を正確に制御でき、輸液の流量を自在に調節する。圧力センサー６は送気チューブ内の圧力を検出し、検出された信号をシングルチップマイクロコンピュータ１に送信する。シングルチップマイクロコンピュータは検出信号に基づいて処理する。即ち、ガスポンプにより加圧しり圧力を変えずに保持させたりするように電機ガスポンプユニット５に指令を与える。空気逆止め弁７は圧縮空気の逆流を防止するためのものである。
【００１６】
シングルチップマイクロコンピュータ１はシステム全体の「大脳」となり、システム全体をインテリジェントに制御し管理し、検出信号を処理する。設備に故障が発生した時、タイムリーに警報を出し且つ電機ガスポンプユニット５の作動を停止させることができる。流量制御機構９は輸液チューブ２４をきつく押えて輸液を阻止して、患者の安全を保証する。本発明を比較的大きな医療機構に用いる場合は、多くの患者を対象にするので、更に走査器１１が起動して作動が開始するように設定してよい。該走査器は輸液瓶支持ホルダーにおける透明窓１２を介して輸液瓶３におけるバーコードを走査し、走査された情報をシングルチップマイクロコンピュータ１に入力して比較し、輸液瓶３内の薬品が輸液する患者に対応しないことを発見すると、輸液操作を即時に停止して、安全を確保する。本発明において更に警報装置を設けてもよい。センサーによって感知された信号がシングルチップマイクロコンピュータによって処理された後、警報制御信号が得られると、更に警報装置が応答して、ヒトの注意を引くと共に、正確な処理を行わせる。主として光電警報（発光ダイオード）及び音声警報（ラウドスピーカー及びブザー）等がある。
【００１７】
入力・表示装置において、入力部は、例えば輸液量及び輸液速度等の輸液の各パラメーターを設定するものである。表示部は、各パラメーター及び現在の作動状態等を表示するものであり、セグメント液晶表示又はＬＣＤカラー液晶表示を用いてよい。設備本体の裏面の外部筐体には設備に作動電流を入力したり充電電池を充電したりすることができる９Ｖの直流電源コンセントが設けられ、輸液ポンプに交流電流が流れない場合に、充電電池は電気エネルギーを供給して、輸液ポンプを継続して作動させる。
【００１８】
ガスポンプで圧力を供給するために一般に用いられる、機械的な蠕動によって輸液チューブを押し付ける方式を取り止めたので、一般の輸液チューブを用いれば要求を満たすことができ、使用コストが低下し、安全性能が向上する。なお、本発明では、ガスポンプ吸気口に空気浄化装置が接続され、輸液瓶内には清潔な気体が入っているので、薬液を汚染して患者の安全に危害を及ぼすことはなくなった。本発明は自在に設置したり移動中に輸液したりでき、使用に便利、安全、かつ安価であり、広範な医療スタッフと患者に好まれる。
【００１９】
以上の具体的な実施例は例示であり、本発明の構成を説明するためのものに過ぎず、当業者は本発明の思想において様々な変形及び変化を加えてよく、これらの変形及び変化はいずれも本発明の保護範囲内に含まれる。
【図１】
0005815892.tif 000002
【図２】
0005815892.tif 000003
【図３】
0005815892.tif 000004
【図４】
0005815892.tif 000005
【図５】
0005815892.tif 000006
【図６】
0005815892.tif 000007